(57)【要約】【課題】  スポーツ番組等の盛り上がりシーンを余り処理負荷をかけずに的確に検出して、チャプタ区切り情報を付与することができる録画再生装置を提供する。【解決手段】  記録媒体に録画する動画の画面上の定位置にほぼ常時表示される当該動画特有の画像データの監視範囲を設定する監視範囲設定手段（ステップＳ２）と、前記監視範囲設定手段で設定された監視範囲から文字データを定期的に抽出し、前回抽出した文字データと比較して異なった場合にその動画録画位置に対応してチャプタ区切り情報を付与する監視範囲解析手段（ステップＳ５）とを備えた。【選択図】        図２
2007201988.tif 000002
【特許請求の範囲】
【請求項１】
記録媒体に動画を録画する機能と、前記記録媒体に録画された動画を再生する機能を有する録画再生装置において、
前記記録媒体に録画する動画の画面上の定位置にほぼ常時表示される当該動画特有の画像データの監視範囲を設定する監視範囲設定手段と、前記監視範囲設定手段で設定された監視範囲から文字データを定期的に抽出し、前回抽出した文字データと比較して異なった場合にその動画録画位置に対応してチャプタ区切り情報を付与する監視範囲解析手段とを備えたことを特徴とする録画再生装置。
【請求項２】
前記監視範囲設定手段は、動画の録画開始時に当該動画の画面上から所望の監視範囲を指定可能としたことを特徴とする請求項１記載の録画再生装置。
【請求項３】
前記監視範囲解析手段は、前記監視範囲設定手段で設定された監視範囲から文字データを抽出して初回は保存し、２回目以降は前回抽出した文字データと比較して異なった場合にその動画録画位置に対応してチャプタ区切り情報を付与すると共に、抽出した文字データを上書き保存することを特徴とする請求項１又は請求項２記載の録画再生装置。
【請求項４】
前記動画特有の画像データの監視範囲として、スポーツ番組の画面の片隅にほぼ常時表示される得点表示領域を設定することを特徴とする請求項１ないし請求項３のいずれかに記載の録画再生装置。
【発明の詳細な説明】
【技術分野】
【０００１】
本願発明は、記録媒体に動画を録画する機能と、前記記録媒体に録画された動画を再生する機能を有する録画再生装置に係わり、特に録画される動画に自動的にチャプタ（章）区切り情報を付与するオートチャプタ機能に関するものである。この技術は、アナログ放送番組，デジタル放送番組，デジタルビデオカメラで私的録画したＤＶ(digital video)データなどをＤＶＤ(Digital Versatile Disc)やＨＤＤ(hard disk drive)等に録画するＤＶＤレコーダやＨＤＤ内蔵テレビジョン（ＴＶ）受信機などに適用できる。
【背景技術】
【０００２】
従来、この種の録画再生装置としては、スポーツ番組等の盛り上がりシーン（得点シーンなど）を観客の歓声等に基づき検出して、チャプタ区切り情報を付与するようにしたものが知られている（例えば、特許文献１参照）。
【特許文献１】特開平１１−５５６１３号公報（H04N 5/783）
【発明の開示】
【発明が解決しようとする課題】
【０００３】
しかしながら、ホームグランドにおいては一般に相手チームの得点シーンでは歓声は起こらず、得点シーンと歓声が一致するとは限らないので、上述したような従来技術では、両チームの盛り上がりシーンを的確に検出してチャプタ区切り情報を付与することができない。
【０００４】
なお、上記特許文献１には、スポーツ番組の画面中央付近の得点表示により得点シーンを検出する技術も記載されているが、スポーツ番組の画面中央付近の得点表示は短時間であり、これを検出するためには、常時連続して検出処理を行わなければならず、処理負荷が極めて大きくなる。
【０００５】
そこで、本願発明はこのような課題を解決するためになされたものであり、スポーツ番組等の盛り上がりシーンを余り処理負荷をかけずに的確に検出して、チャプタ区切り情報を付与することができる録画再生装置を提供することを目的とするものである。
【課題を解決するための手段】
【０００６】
上記のような目的を達成するために、本願の請求項１に係る発明は、記録媒体に動画を録画する機能と、前記記録媒体に録画された動画を再生する機能を有する録画再生装置において、前記記録媒体に録画する動画の画面上の定位置にほぼ常時表示される当該動画特有の画像データの監視範囲を設定する監視範囲設定手段と、前記監視範囲設定手段で設定された監視範囲から文字データを定期的に抽出し、前回抽出した文字データと比較して異なった場合にその動画録画位置に対応してチャプタ区切り情報を付与する監視範囲解析手段とを備えたことを特徴とするものである。
【０００７】
請求項２に係る発明は、前記監視範囲設定手段は、動画の録画開始時に当該動画の画面上から所望の監視範囲を指定可能としたことを特徴とするものである。
【０００８】
請求項３に係る発明は、前記監視範囲解析手段は、前記監視範囲設定手段で設定された監視範囲から文字データを抽出して初回は保存し、２回目以降は前回抽出した文字データと比較して異なった場合にその動画録画位置に対応してチャプタ区切り情報を付与すると共に、抽出した文字データを上書き保存することを特徴とするものである。
【０００９】
請求項４に係る発明は、前記動画特有の画像データの監視範囲として、スポーツ番組の画面の片隅にほぼ常時表示される得点表示領域を設定することを特徴とするものである。
【発明の効果】
【００１０】
本願の請求項１記載の発明によれば、記録媒体に録画する動画の画面上の定位置にほぼ常時表示される当該動画特有の画像データの監視範囲から文字データを定期的に抽出し、前回抽出した文字データと比較して異なった場合にその動画録画位置に対応してチャプタ区切り情報を付与することにより、スポーツ番組等の得点シーンなどの盛り上がりシーンを余り処理負荷をかけずに的確に検出して、チャプタ区切り情報を付与することができる。従って、再生時には、上記チャプタ区切り情報に基づきスキップさせて、その前後を再生することにより、盛り上がりシーンを効率よく確実に再生して鑑賞することができる。
【００１１】
請求項２記載の発明によれば、動画の録画開始時に当該動画の画面上から所望の監視範囲を指定可能としたことにより、利用者は実際に録画する動画の画面を見て監視範囲を指定できるので、利用者が望む監視範囲を最小の範囲で確実に指定できると共に、監視範囲からの文字データの抽出処理も容易になる。
【００１２】
請求項３記載の発明によれば、監視範囲から文字データを抽出して初回は保存し、２回目以降は前回抽出した文字データと比較して異なった場合にその動画録画位置に対応してチャプタ区切り情報を付与すると共に、抽出した文字データを上書き保存することにより、文字データの保存領域が同じ領域となるので、記憶領域が少なくて済むと共に、書込みや読出しの制御も容易になる。
【００１３】
請求項４記載の発明によれば、録画する動画特有の画像データの監視範囲として、スポーツ番組の画面の片隅にほぼ常時表示される得点表示領域を設定することにより、両チームの得点シーンを盛り上がりシーンとして確実に検出してチャプタ区切り情報を付与することができる。
【発明を実施するための最良の形態】
【００１４】
以下、本願発明の一実施形態を図面を参照して詳細に説明する。
【００１５】
図１は、本願発明が適用される一例としてのＨＤＤ内蔵テレビジョン受信機の構成例を示すブロック図である。
【００１６】
本実施形態におけるＨＤＤ内蔵テレビジョン受信機１は、図示しないアンテナ等からの複数の放送波の中から任意のデジタル放送波を選択するデジタルチューナ２と、同じく図示しないアンテナ等からの複数の放送波の中から任意のアナログ放送波を選択するアナログチューナ３と、デジタルビデオカメラ等を接続可能なＩＥＥＥ(Institute of Electrical and Electronics Engineers)１３９４インターフェース４を備えている。
【００１７】
上記デジタルチューナ２で選択されたデジタル放送波は、動画像の符号化圧縮方式であるＭＰＥＧ(Moving Picture Expert Group)方式により符号化された複数のデジタル放送信号がＴＳ（Transport Stream；トランスポートストリーム)の形態で多重化されているので、ＭＰＥＧ−ＴＳデコーダ５に入力される。ＭＰＥＧ−ＴＳデコーダ５では、上記ＭＰＥＧ−ＴＳ信号の多重分離と復号化伸張により、利用者が選局中の番組をパーシャル化（抽出）する。
【００１８】
また、アナログチューナ３で選択されたアナログ放送信号は、一般的なＮＴＳＣ(National Television System Committee)方式の信号であるので、ＮＴＳＣデコーダ６に入力され、このＮＴＳＣデコーダ６で前記ＭＰＥＧ−ＴＳデコーダ５からの出力と同様なデジタル放送信号に変換される。また、ＩＥＥＥ１３９４インターフェース４を介して接続されたデジタルビデオカメラ等からのデジタルビデオ（ＤＶ）信号はＤＶデコーダ７に入力され、ＤＶデコーダ７で復号化伸張されて前記ＭＰＥＧ−ＴＳデコーダ５からの出力と同様なデジタルビデオ信号に変換される。
【００１９】
上記ＭＰＥＧ−ＴＳデコーダ５又はＮＴＳＣデコーダ６又はＤＶデコーダ７からの出力は、画像フレームを一時記憶するバッファ８を介して、表示装置であるモニタ９に出力されて画面に表示される。また、録画時には、バッファ８からの出力が前記ＭＰＥＧ−ＴＳデコーダ５と逆の処理を行うＭＰＥＧ−ＴＳエンコーダ１０に入力され、このＭＰＥＧ−ＴＳエンコーダ１０で本願発明に係るチャプタ区切り情報を含む付加情報と共にＭＥＰＧ−ＴＳ信号に変換されて、記録媒体としてのＨＤＤ１１に録画されるようになっている。
【００２０】
上記各部はマイコン（マイクロコンピュータ）１２によって制御され、マイコン１２にはバス１３を介して、ソフトウエアプログラム等を記憶するＲＯＭ（Read Only Memory)１４とプログラム実行時の作業領域等として使用されるＲＡＭ(Random Accsess Memory)１５が接続されている。上記ＲＯＭ１４に、本願発明に係るオートチャプタ機能の監視範囲設定手段や監視範囲解析手段を実現するソフトウエアモジュールを含む当該テレビジョン受信機のソフトエアが格納されている。
【００２１】
次に、上記構成の動作についてデジタル放送をＨＤＤ１１に録画する場合を例にとって図２，図３に示すフローチャートを参照して説明する。なお、図２は全体動作を示すフローチャート、図３はその監視範囲解析処理を示すフローチャートである。
【００２２】
電源投入後、ＲＯＭ１４に格納されたソフトウエアをＲＡＭ１５に展開して、動作可能な状態となる。ここで、図示しないリモコン等でデジタル放送チャンネルが選局されると、デジタル放送波をデジタルチューナ２で選択受信した後、ＭＰＥＧ−ＴＳデコーダ５で選局中の放送番組をパーシャル化し、バッファ８経由でモニタ９に表示する（図２のステップＳ１）。
【００２３】
利用者はマニュアル録画を行う前に、先ず図４もしくは図５に示すように、選局中のモニタ９で、リモコン等を用いてオートチャプタを行うための監視範囲Ａを指定する（図２のステップＳ２）。ここでは、野球中継を録画する前提で、図４はイニングと得点が変化した時点でチャプタ区切り情報を付与する場合、図５は得点が変化した時点でチャプタ区切り情報を付与する場合を想定している。この監視範囲指定機能は、本願発明に係る監視範囲設定手段によって実現されている。
【００２４】
上記のような監視範囲指定を行ってからリモコン等の録画ボタンを押すと、録画が開始され（図２のステップＳ３）、ＨＤＤ録画中は、モニタ９に表示する代わりにＨＤＤ１１に録画される（ステップＳ４）。
【００２５】
バッファ８には、例えばＴＳ（トランスポートストリーム）において動き予測をしない静止画のＩピクチャーから静止画ファイルに変換したデータを配置するものとする。
【００２６】
上記ＨＤＤ録画処理（図２のステップＳ４）の並列処理として監視範囲解析処理（ステップＳ５）が行われる。この処理を行う監視範囲解析手段は、バッファ８に一時保存された静止画データから前記監視範囲設定手段によって指定された監視範囲Ａの領域から静止画データを取得し（図３のステップＳ４０）、ＯＣＲ機能（前もって記憶された文字パターンとの照合により文字を特定し、文字データを抽出する機能）などを利用して、文字データを抽出する（ステップＳ４１）。そして、これが初回か否かをチェックして（ステップＳ４２）、初回であれば、その文字データをＨＤＤ１１又はＲＡＭ１５の所定領域に保存し（ステップＳ４２のＹ→ステップＳ４３）、それから一定時間経過するのを待って（ステップＳ４４）、最初のステップＳ４０に戻る。
【００２７】
一方、前記ステップＳ４２で文字データ抽出が初回でない，すなわち２回目以降と判定されれば、前回の文字データを読込んで比較し、文字データが変化したか否かを判定する（ステップＳ４２のＮ→ステップＳ４５→ステップＳ４６）。
【００２８】
文字データが変化した場合は、その録画位置に対応してチャプタ区切り情報を付与すると共に、取得した新しい文字データを上書き保存する（ステップＳ４６のＹ→ステップＳ４７→ステップＳ４８）。変化がない場合は、特に処理は行わない（ステップＳ４６のＮ）。
【００２９】
その後、録画中か否かを判定して、録画中であれば、一定時間経過するのを待ってから（ステップＳ４９のＹ→ステップＳ４４）、最初のステップＳ４０に戻って再び文字データを取得する。録画終了時には本処理を終了し（ステップＳ４９のＮ）、録画を停止する（図２のステップＳ６）。
【００３０】
以上のように、本実施形態によれば、スポーツ番組の得点シーンなどの盛り上がりシーンを、監視範囲にほぼ常時表示される文字データを一定時間毎に定期的にチェックすることにより余り処理負荷をかけずに的確に検出して、チャプタ区切り情報を付与することができる。従って、再生時には、再生画面に表示される再生進捗バー等に付与されたチャプタ区切り情報に基づきスキップさせて、その前後を再生することにより、盛り上がりシーンを効率よく確実に再生して鑑賞することができるようになる。
【００３１】
また、録画開始時にその画面上から所望の監視範囲を指定可能としたことにより、利用者は実際に録画する画面を見て監視範囲を指定できるので、利用者が望む監視範囲を最小の範囲で確実に指定できると共に、監視範囲からの文字データの抽出処理も容易になる。
【００３２】
さらに、監視範囲から文字データを抽出して初回は保存し、２回目以降は前回抽出した文字データと比較して異なった場合にその録画位置に対応してチャプタ区切り情報を付与すると共に、抽出した文字データを上書き保存するようにしたことにより、文字データの保存領域が同じ領域となるので、記憶領域が少なくて済むと共に、書込みや読出しの制御も容易になる。
【００３３】
また、録画する動画特有の画像データの監視範囲として、スポーツ番組の画面の片隅にほぼ常時表示される得点表示領域を設定するようにしたことにより、両チームの得点シーンを盛り上がりシーンとして確実に検出して、チャプタ区切り情報を付与することができるようになる。
【００３４】
なお、上記実施形態では、マニュアル録画時に録画する放送番組の画面を見て監視範囲の指定を行うようにしたが、予め想定される複数の監視範囲を用意しておいて、予約録画時に番組に応じて選択することができるようにしても良い。さらには、画面の周囲の所定範囲を監視範囲として、この監視範囲の中からほぼ常時表示される文字データを抽出するようにしても良い。
【００３５】
また、上記実施形態では、野球中継を録画する場合について説明したが、サッカーやバレーボールやバスケットボール等の中継放送においても決まった位置にほぼ常時表示される得点表示領域を監視範囲とすることができ、マラソンや駅伝などの中継放送においてはスタートからの経過時間をほぼ常時表示している領域の一部を利用者が選択指定して監視範囲とすることができる。
【００３６】
また、上記実施形態では、デジタル放送の録画について説明したが、アナログ放送等の録画にも適用可能である。
【図面の簡単な説明】
【００３７】
【図１】本願発明が適用される一例としてのＨＤＤ内蔵テレビジョン受信機の構成例を示すブロック図。
【図２】全体動作を示すフローチャート。
【図３】その監視範囲解析処理を示すフローチャート。
【図４】監視範囲指定の一例を示す図。
【図５】監視範囲指定の他の例を示す図。
【符号の説明】
【００３８】
１  ＨＤＤ内蔵テレビジョン受信機
２  デジタルチューナ
３  アナログチューナ
４  ＩＥＥＥ１３９４インターフェース
５  ＭＰＥＧ−ＴＳデコーダ
６  ＮＴＳＣデコーダ
７  ＤＶデコーダ
８  バッファ
９  モニタ
１０  ＭＰＥＧ−ＴＳエンコーダ
１１  ＨＤＤ
１２  マイコン
１４  ＲＯＭ
１５  ＲＡＭ
Ａ  監視範囲
【図１】
2007201988.tif 000003
【図２】
2007201988.tif 000004
【図３】
2007201988.tif 000005
【図４】
2007201988.tif 000006
【図５】
2007201988.tif 000007